(57)【要約】【課題】動画の再生中に非同期に受信した情報の通知を、広告の配信中という固定的なタイミングではなく、かつ、ユーザによる動画の閲覧を妨害することのない適切なタイミングでユーザに通知することができる情報通知装置を提供する。【解決手段】動画蓄積部１７０１と、動画再生部１７０２と、通信ネットワークを介して電子メールを取得し通知情報として蓄積する情報蓄積部１７０５と、テキスト情報と位置情報の対応を蓄積する位置情報辞書蓄積部１７０６と、情報蓄積部１７０５で蓄積されている電子メールのテキストに対応する位置情報を、位置情報辞書蓄積部１７０６で蓄積されている位置情報から抽出する位置情報抽出部１７０７と、抽出された位置情報とユーザの現在位置と動画再生部１７０２でユーザに提示している情報の内容とに基づいて、通知情報をユーザに通知すべきタイミングを決定する情報通知タイミング判定部１７０９とを備える。【選択図】図２０
2010205279.tif 000002
【特許請求の範囲】
【請求項１】
ユーザに対してナビゲーションに関する情報を提示しているときに、通信ネットワークを介して受信した電子メールの通知情報を前記ユーザに通知する情報通知装置であって、
前記ナビゲーションに関する情報と前記ナビゲーションの内容に関する情報を蓄積している情報蓄積手段と、
前記情報蓄積手段に蓄積された情報を前記ユーザに提示する情報提示手段と、
通信ネットワークを介して電子メールを取得し、取得した電子メールを通知情報として蓄積する通知情報蓄積手段と、
テキスト情報と位置情報の対応を蓄積する位置情報辞書蓄積手段と、
前記通知情報蓄積手段で蓄積されている前記電子メールのテキストに対応する位置情報を、前記位置情報辞書蓄積手段で蓄積されている位置情報から抽出する位置情報抽出手段と、
前記位置情報抽出手段で抽出された位置情報と、前記ユーザの現在位置と、前記情報提示手段で前記ユーザに提示している情報の内容とに基づいて、前記通知情報をユーザに通知すべきタイミングを決定する通知タイミング決定手段と、
決定されたタイミングで前記通知情報をユーザに通知する通知手段と
を備えることを特徴とする情報通知装置。
【請求項２】
前記情報通知装置において、さらに、
前記情報蓄積手段では、前記情報提示手段で前記ユーザに情報を提示する時刻に関する情報を蓄積しており、
前記通知タイミング決定手段では、
前記情報提示手段で前記ユーザに提示する時刻に関する情報と、前記通知情報蓄積手段で蓄積されている電子メールを前記ユーザに提示した場合に、前記電子メールを閲覧するのに要する時間とを比較することで、前記通知タイミングを決定する
ことを特徴とする請求項１記載の情報通知装置。
【請求項３】
前記情報通知装置において、さらに、
前記ユーザが前記電子メールを閲覧または返信した履歴を蓄積する電子メール閲覧履歴蓄積手段を有し、
前記通知タイミング決定手段では、
前記電子メールを受信したときに、前記電子メールを閲覧するのに要する時間を推定し、前記電子メールを閲覧する時間が前記情報提示手段で前記ユーザに提示する時刻と重なる場合に、前記電子メールの受信を通知する時刻を前記情報提示手段で情報を提示した後に変更する
ことを特徴とする請求項２記載の情報通知装置。
【請求項４】
前記情報通知装置において、さらに、
前記通知タイミング決定手段では、
前記位置情報抽出手段で抽出した位置情報が、前記ユーザの現在位置から所定の範囲に入っているときには、前記電子メールの受信を通知する
ことを特徴とする請求項１記載の情報通知装置。
【請求項５】
コンピュータにより、ユーザに対してナビゲーションに関する情報を提示しているときに、通信ネットワークを介して受信した電子メールの通知情報を前記ユーザに通知する情報通知方法であって、
前記ナビゲーションに関する情報と前記ナビゲーションの内容に関する情報を蓄積している情報蓄積手段に蓄積された情報を前記ユーザに提示する情報提示ステップと、
通信ネットワークを介して電子メールを取得し、取得した電子メールを通知情報として通知情報蓄積手段に蓄積する通知情報蓄積ステップと、
前記通知情報蓄積手段で蓄積されている前記電子メールのテキストに対応する位置情報を、テキスト情報と位置情報の対応を蓄積している位置情報辞書蓄積手段で蓄積されている位置情報から抽出する位置情報抽出ステップと、
前記位置情報抽出ステップで抽出された位置情報と、前記ユーザの現在位置と、前記情報提示ステップで前記ユーザに提示している情報の内容とに基づいて、前記通知情報をユーザに通知すべきタイミングを決定する通知タイミング決定ステップと、
決定されたタイミングで前記通知情報をユーザに通知する通知ステップと
を含むことを特徴とする情報通知方法。
【請求項６】
ユーザに対してナビゲーションに関する情報を提示しているときに、通信ネットワークを介して受信した電子メールの通知情報を前記ユーザに通知する情報通知装置のためのプログラムであって、
請求項５記載の情報通知方法に含まれるステップをコンピュータに実行させる
ことを特徴とするプログラム。
【発明の詳細な説明】
【技術分野】
【０００１】
本発明は、放送番組等に代表される動画情報を閲覧する機能と電子メール等に代表される通信ネットワークを介して情報を取得する機能とを有した端末に関する。
【背景技術】
【０００２】
近年、携帯電話等の端末で動画を閲覧できるようになってきている。また、放送等のコンテンツをハードディスク等の記憶媒体に蓄積し、そのコンテンツを半導体メモリ等にコピーすることで、携帯端末で動画コンテンツを閲覧することができるようになってきた。
【０００３】
また、一方で、携帯電話等の端末は、通信ネットワークを介して電子メール（以下、単に「メール」ともいう。）を受信する機能をもち、たとえ動画閲覧中でも電子メールを受信すると、受信したことをユーザに即座にアイコン等で通知する。このとき、動画を閲覧中に電子メールの受信内容を確認しようとすると、動画再生を中断して電子メールのアプリケーションを起動させる必要がある。ここで、電子メールで情報を受信した場合に、自動的に電子メールのアプリケーションを起動させるように設定しておくことで、動画閲覧中であっても、電子メールの閲覧に自動的に切替えることは可能である。しかしながら、動画再生中に、ユーザが予測していない電子メールを受信し、自動的にアプリケーションを切替えられると、ユーザの動画閲覧が妨げられてしまう。
【０００４】
このような課題に対して、従来、受信している放送において、受信している放送のステレオ放送かアナログ放送を区別することで、広告コンテンツが再生されていることを認識し、放送コンテンツを閲覧中に電子メールを受信しても、広告コンテンツになるまで、メールの着信を通知しないという技術が提案されている（例えば、特許文献１参照）。この従来技術では、図３１（ａ）に示されるように、本放送を閲覧中にメールを受信したとしても、図３１（ｂ）に示されるように、番組間に放送される広告情報を閲覧するタイミングで、メールの受信をユーザに知らせている。これによって、非同期なメールの受信によって放送の閲覧が妨害されてしまうことを回避している。
【先行技術文献】
【特許文献】
【０００５】
【特許文献１】特開２００２−２８８０８４号公報
【発明の概要】
【発明が解決しようとする課題】
【０００６】
しかしながら、上記従来技術のように、広告番組が放送中に電子メールを通知したのでは、広告情報が閲覧されなくなるため、広告情報を配信しているスポンサーにとっては放送の利点がなくなるという問題がある。また、受信したメールに対して返信等の操作を行っているうちに広告コンテンツの再生が終了した場合には、その操作を継続するために、番組を閲覧する機会を逃してしまう。
【０００７】
また、受信するメールによっては、簡単な閲覧だけですむメールである場合がある。このときは、広告情報が再生されるタイミングを待つことなく受信した情報を確認することも可能であり、番組閲覧を中断するまでもない場合がある。
【０００８】
さらに、番組によっては、広告情報が放送されない番組を再生している場合もあり、必ずしも広告情報を閲覧するタイミングでメールの受信をユーザに知らせることができるとは限らないという問題もある。
【０００９】
そこで、本発明は、このような問題に鑑みてなされたものであり、動画の再生中に非同期に受信した情報の通知を、広告の配信中という固定的なタイミングではなく、かつ、ユーザによる動画の閲覧を妨害することのない適切なタイミングで、ユーザに通知することができる情報通知装置を提供することを目的とする。
【課題を解決するための手段】
【００１０】
上記目的を達成するために、本発明に係る情報通知装置は、ユーザに対してナビゲーションに関する情報を提示しているときに、通信ネットワークを介して受信した電子メールの通知情報を前記ユーザに通知する情報通知装置であって、前記ナビゲーションに関する情報と前記ナビゲーションの内容に関する情報を蓄積している情報蓄積手段と、前記情報蓄積手段に蓄積された情報を前記ユーザに提示する情報提示手段と、通信ネットワークを介して電子メールを取得し、取得した電子メールを通知情報として蓄積する通知情報蓄積手段と、テキスト情報と位置情報の対応を蓄積する位置情報辞書蓄積手段と、前記通知情報蓄積手段で蓄積されている前記電子メールのテキストに対応する位置情報を、前記位置情報辞書蓄積手段で蓄積されている位置情報から抽出する位置情報抽出手段と、前記位置情報抽出手段で抽出された位置情報と、前記ユーザの現在位置と、前記情報提示手段で前記ユーザに提示している情報の内容とに基づいて、前記通知情報をユーザに通知すべきタイミングを決定する通知タイミング決定手段と、決定されたタイミングで前記通知情報をユーザに通知する通知手段とを備えることを特徴とする。
【００１１】
また、通知情報を通知するタイミングの決定方法としては、例えば、前記情報通知装置において、さらに、前記情報蓄積手段では、前記情報提示手段で前記ユーザに情報を提示する時刻に関する情報を蓄積しており、前記通知タイミング決定手段では、前記情報提示手段で前記ユーザに提示する時刻に関する情報と、前記通知情報蓄積手段で蓄積されている電子メールを前記ユーザに提示した場合に、前記電子メールを閲覧するのに要する時間とを比較することで、前記通知タイミングを決定するのが好ましい。
【００１２】
具体的には、前記情報通知装置において、さらに、前記ユーザが前記電子メールを閲覧または返信した履歴を蓄積する電子メール閲覧履歴蓄積手段を有し、前記通知タイミング決定手段では、前記電子メールを受信したときに、前記電子メールを閲覧するのに要する時間を推定し、前記電子メールを閲覧する時間が前記情報提示手段で前記ユーザに提示する時刻と重なる場合に、前記電子メールの受信を通知する時刻を前記情報提示手段で情報を提示した後に変更するのが望ましい。
【００１３】
また、前記情報通知装置において、さらに、前記通知タイミング決定手段では、前記位置情報抽出手段で抽出した位置情報が、前記ユーザの現在位置から所定の範囲に入っているときには、前記電子メールの受信を通知してもよい。
【００１４】
なお、本発明は、このような情報通知装置として実現できるだけでなく、情報通知方法として実現したり、その方法をコンピュータに実行させるプログラムとして実現したり、そのプログラムが記録されたＣＤ−ＲＯＭ等のコンピュータ読み取り可能な記録媒体として実現することもできる。
【発明の効果】
【００１５】
本発明に係わる情報通知装置によれば、ユーザが動画を再生し、閲覧中であっても、電子メール等の情報を受信したことが適切なタイミングで通知される。よって、広告の配信中という固定的なタイミングで通知することが回避されるとともに、動画の閲覧が妨害されることが回避されるので、広告のスポンサーの利益を害することなく、快適に動画の閲覧を継続することができる。
【００１６】
よって、本発明は、特に、携帯電話等の、動画を再生する機能と通信ネットワークを介して情報を受信する機能とを備える多機能な情報端末として有用であり、携帯電話の多機能化が進む今日において、その実用的価値は極めて高い。
【図面の簡単な説明】
【００１７】
【図１】本発明の実施の形態１における情報通知装置の構成を示す機能ブロック図である。
【図２】動画蓄積部に蓄積されている動画の内容に関する情報例を示す図である。
【図３】番組コンテンツの階層構造を示す図である。
【図４】メールを受信してから閲覧・処理するまでのプロセスの流れを示す図である。
【図５】情報閲覧履歴蓄積部に蓄積される履歴の例を示す図である。
【図６】広告情報等のメールの受信例を示す図である。
【図７】情報通知タイミング判定部が有するタイミングの決定に用いられるテーブル例を示す図である。
【図８】メールを受信したことをユーザに通知する例を示す図である。
【図９】メールを受信する前に閲覧していたコンテンツの内容を提示する例を示す図である。
【図１０】実施の形態１における情報通知装置の動作を示すフローチャートである。
【図１１】動画再生中にテロップとしてメール受信とその内容をユーザに通知する例を示す図である。
【図１２】携帯電話によるナビゲーションの例を示す図である。
【図１３】音声案内を行うタイミングを示す図である。
【図１４】メールの受信をユーザに通知する場合の携帯電話の画面の流れを示す図である。
【図１５】本発明の実施の形態２における情報通知装置の構成を示す機能ブロック図である。
【図１６】時刻情報辞書蓄積部に蓄積されている時刻情報辞書の例を示す図である。
【図１７】時刻情報を含むメールを受信した例を示す図である。
【図１８】実施の形態２における情報通知装置の動作を示すフローチャートである。
【図１９】メールに対して返信が必要か否かの情報を解析する例を説明する図である。
【図２０】変形例に係る情報通知装置の構成を示す機能ブロック図である。
【図２１】位置情報辞書蓄積部に蓄積されている位置情報の例を示す図である。
【図２２】情報蓄積部に蓄積されているテキスト情報の例を示す図である。
【図２３】店舗から配信される店舗情報の例を示す図である。
【図２４】アンケート画面の例を示す図である。
【図２５】本発明の実施の形態３における情報通知装置の構成を示す機能ブロック図である。
【図２６】情報入力履歴蓄積部に蓄積されているデータ例を示す図である。
【図２７】実施の形態３における情報通知装置の動作を示すフローチャートである。
【図２８】本発明の実施の形態４における情報通知装置の構成を示す機能ブロック図である。
【図２９】実施の形態４における情報通知装置の動作を示すフローチャートである。
【図３０】風景を撮像する場面を説明する図である。
【図３１】従来技術におけるメールの受信通知を示す図である。
【図３２】本発明の実施の形態５における情報通知装置の構成を示す機能ブロック図である。
【図３３】動画コンテンツのレイアウトに関する情報とその表示例を示す図である。
【図３４】（ａ）はレイアウト情報がないときのメール受信通知の表示例、（ｂ）はレイアウト情報があるときのメール受信通知の表示例を示す図である。
【図３５】実施の形態５における情報通知装置の動作を示すフローチャートである。
【発明を実施するための形態】
【００１８】
次に、本発明の実施の形態１について、図面を用いて詳細に説明する。
まず、本発明の具体的な課題について説明する。近年、携帯電話等の端末が多機能化しており、蓄積されている動画閲覧、動画の撮影等を行えるように機能が充実してきている。これらの機能は、ユーザが自らの意図で機能を選択している。しかしながら、携帯電話は、メールの受信や、メッセージの受信、電話機能など、携帯電話の所有者が意図していないタイミングで情報の受信を通知される場合がある。
【００１９】
このように、放送や映画等の動画コンテンツを集中して視聴しているときに、メール等を受信すると、それまでのコンテンツ閲覧を中断して、メールの確認や、返信を行わなければならなくなる。一般に、動画コンテンツは、連続的に再生して閲覧することを想定してコンテンツが作成されている。そのため、メール等の作成・閲覧処理や、メールによって配信された広告情報の閲覧により、コンテンツの再生が遮られると、動画コンテンツのストーリーを把握できなくなる。例えば、映画等を閲覧している途中で、メールの受信が通知され、その内容を確認し、さらに返信メールの作成を行い、その後に、映画の続きを視聴することがある。この場合、メールの受信後に、映画の閲覧を再開するが、それまでの映画のストーリーを思い出せなくなることや、映画の登場人物の人間関係が理解できなくなることがある。
【００２０】
そこで、本実施の形態では、動画コンテンツを再生中であっても、再生されているコンテンツと、新たに配信された情報の内容、および配信された情報の処理に要する推定時間に応じて、適切なタイミングで情報の受信をユーザに通知する。
【００２１】
（実施の形態１）
まず、本発明の実施の形態１について説明する。
【００２２】
本実施の形態は、ユーザが予測していないメールやメッセージを受信したときには、その情報の内容に応じて動画の再生を中断するタイミングを自動的に決定する装置に関する。
【００２３】
図１は、本実施の形態における情報通知装置の構成を機能ブロック図である。この情報通知装置は、蓄積された動画を再生するとともに電子メール等の情報を受信したことをユーザに通知する携帯電話等であり、受信した情報の内容に応じて動画の再生を中断するタイミングを自動的に決定する点に特徴を有し、動画蓄積部１０１、動画内容蓄積部１０２、動画再生部１０３、情報受信部１０４、情報蓄積部１０５、情報閲覧部１０６、情報閲覧履歴蓄積部１０７、情報閲覧所要時間推定部１０８、情報通知タイミング判定部１０９、情報通知部１１０から構成されている。
【００２４】
動画蓄積部１０１は、半導体メモリやハードディスク等の蓄積媒体であり、ＭＰＥＧ等の形式で動画を蓄積している。
【００２５】
動画内容蓄積部１０２は、動画蓄積部１０１に蓄積されている動画の内容に関する情報を蓄積しているメモリ等である。例えば、ＭＰＥＧ７等においては、動画ファイルのヘッダー部分にＸＭＬ形式にて、図２に示されるような動画の内容に関する記述がされている。これにより、動画の各シーンの切れ目に情報を判断することが可能になる。その結果、１つの番組コンテンツを複数の部分コンテンツを連続して再生しているものとみなすことができる。さらに、図３に示されるように、各部分コンテンツも、さらに階層構造で表現することが可能となる。例えば、図３においては、「ニュースの林」という番組は、「全国版ニュース」と「ＣＭ」部分と「地方版ニュース」から構成されており、さらに、「全国版ニュース」は、各ニュースの連続コンテンツとして解釈することが可能となる。これにより、番組の区分をそれぞれの階層でレベル１からレベル３というように表現することが可能になる。
【００２６】
動画再生部１０３は、動画蓄積部１０１に蓄積されている動画を情報端末の表示部分でデコードし再生するデコーダ等である。
【００２７】
情報受信部１０４は、通信ネットワークを介してメール等の情報を受信する通信インターフェース等である。情報端末から公衆ネットワークを介してメールサーバへアクセスし、メールが存在すれば、そのメールを取得する。
【００２８】
情報蓄積部１０５は、情報受信部１０４において受信した情報を端末において蓄積するメモリ等である。
【００２９】
情報閲覧部１０６は、情報蓄積部１０５において受信した情報をユーザが閲覧することを可能にするメーラ等である。例えば、情報受信部１０４においてメールを受信した場合には、メールを閲覧するツール等によりメールの内容を確認することを可能にしている。
【００３０】
情報閲覧履歴蓄積部１０７は、情報閲覧部１０６によってユーザが閲覧したメールの履歴を蓄積するメモリ等である。メールを受信してから閲覧・処理するまでの時間は、図４に示されるようなプロセスを必要とする。まず、はじめに、情報端末が音声やアイコン等によって、メールの受信をユーザに通知（５０１）する。次に、情報端末を用いてメールの閲覧を開始（５０２）する。メッセージが携帯端末の１つの画面に入らない場合には、画面をスクロールさせ、メッセージの内容を確認する。その結果、メッセージの内容を確認し閲覧を終了（５０３）する。ただし、メッセージの最初の部分だけをみて、広告情報等の内容であることを確認し、最後までメッセージの閲覧をせずに終了する場合もある。
【００３１】
一般には、これでメッセージの閲覧を終了するが、そのメッセージに対して返信の必要があるときには、すぐに返信メールを作成する作業にとりかかる。返信メッセージの作成を開始（５０４）する。仮名漢字変換等の作業を行いながら返信メールの作成を行い、返信メールの作成を終了（５０５）する。返信メールの内容を確認後、返信メールの送信（５０６）を完了する。以上のような作業を、メールの処理として行う。
【００３２】
これらのイベント間の時間を計測し、図４に示されるようにメール作成時間、返信メール作成時間、メール処理時間を測定する。さらに、メールの発信者、メール受信をユーザに通知した時刻、メールの文字数等の情報とともに、情報閲覧履歴蓄積部１０７において、図５に示される表のように、各メールの処理履歴を蓄積する。
【００３３】
情報閲覧所要時間推定部１０８は、情報閲覧履歴蓄積部１０７に蓄積されているメールの閲覧履歴から、情報蓄積部１０５で受信・蓄積されているメールの内容に対して閲覧処理に要する時間を推定する。具体的には、まず、最初に受信したメールの発信者を特定し、その発信者に関して、情報閲覧履歴蓄積部１０７において受信した履歴があるかを検索する。検索した結果、過去に受信したメールに対して返信を行っていたか否かを判断する。過去に返信を行っていなかった場合には、過去に受信したメールに対して閲覧に要した時間の平均を計算する。過去に返信を行っていた場合には、返信メールを作成する時間も含め、メールの処理に要した時間の平均を計算する。
【００３４】
一般に、広告情報等のメールを受信した場合には、閲覧に時間をかけずに処理している場合が多い。例えば、図６に示されるようなレンタル店からキャンペーンの内容のメールを受信したとする。この場合、過去にこのレンタル店からのキャンペーンの情報は、このユーザは閲覧に時間を要していなかった（図５の行６０２参照）。
【００３５】
一方、常に、メールにて情報交換を行っている友人等から受信したメールの場合には、そのメールに対して返信等を行うため、メールの処理に時間をかけている場合が多い。このように、メールの発信者等の情報と、そのメールの処理に要した時間の履歴情報を利用して、新たに受信したメールに対して、メールを処理するのに要する時間を推定する（図５の行６０３、行６０４参照）。
【００３６】
なお、過去に受信したことのない相手からのメールの場合には、受信したメールの文字数等により、閲覧に要する時間を推定してもよい。
【００３７】
情報通知タイミング判定部１０９は、情報閲覧所要時間推定部１０８で推定されたメール処理に要する時間と、動画内容蓄積部１０２に蓄積されている動画の内容の区分に関する情報から、どのタイミングでユーザにメールを受信したかを通知するタイミングを決定する処理部である。タイミングの決定のためのテーブルは、図７に示されるように、あらかじめ定義されているものとする。例えば、図７において、２分以下で処理できるようなメールの場合には、レベル３（図３のレベル３）区分の切れ目でメールの受信を通知することを示している。また、逆に、返信等を要するようなメールの処理に５分以上かかるであろうと推定されたメールに対しては、レベル１（図３のレベル１）区分の切れ目（番組が終了した時点）でユーザに通知することを示している。たとえば、図６に示されるレンタル店からのキャンペーンに関するメールを受信した場合には、図５の行６０２に示されるメール処理時間「１８秒」からわかるように、閲覧に時間を費やしていない。そこで、レベル３区分の切れ目でメール受信をユーザに通知する。
【００３８】
情報通知部１１０は、情報通知タイミング判定部１０９において決定されたタイミングで、動画再生部１０３で再生されている動画の途中でメール受信の通知を行う処理部である。図６のメールを受信して、レベル３区分の切れ目でメール受信をユーザに通知すると決定された場合には、図８に示されるように、現在、「内閣改造人事」のニュースが放映されていた場合には、そのニュースが終了し、次の「イラク戦線状況」のニュースがはじまる前に、メール受信をユーザに通知する。
【００３９】
このような構成により、一目確認するだけのメールをこの情報通知装置で受信したときには、ユーザは、レベル３区分の切れ目にメール処理作業を行っても、動画コンテンツである番組のストーリー性が損なれることがない。逆に、受信したメールに対して熟読しなければならないメールや、返信作業を行わなければならない作業が発生する場合には、レベル３区分の切れ目でメール処理作業を行うと、ユーザは番組のストーリー性を把握することが難しくなる。例えば、受信したメールに対して返信メールを作成する作業まで行わなければならなくなると、メール処理作業が長くなり、メール受信前にどんなニュースやどんな話題で番組が盛り上がっていたかをメール処理作業終了後に思い出すことが難しくなることもある。そこで、メール処理作業に時間を要する場合には、なるべく、番組の大きな切れ目でのメール受信を通知することが好ましい。
【００４０】
なお、受信したメールが通知されてから、ユーザがメールを閲覧・処理する時間が所定の時間よりも長かった場合には、メール処理後に、動画が再生されたときに、その連続性を思い出すのが困難になる場合がある。そこで、メール受信前に閲覧していたコンテンツの内容を、図９に示されるように、提示してもよい。これにより、動画が再生されたときに、どこまで動画を閲覧していたかを容易に判断することが可能になる。また、動画を再生するときには、図３に示される区切りから再生する代わりに、区切りの少し前（例えば１０秒前）から再生することで、閲覧していた動画に対する連続性（ストーリー性）を理解しやすくなる。
【００４１】
図１０は、以上のように構成された本実施の形態における情報通知装置の動作を示すフローチャートである。まず、情報受信部１０４は、メールを受信したか否かを判断する（ステップＳ１００１）。受信した場合には、次のステップへすすむが、受信していない場合には、ステップＳ１００１を繰り返す。次に、動画再生中か否かを判断する（ステップＳ１００２）。動画再生中でない場合には、情報通知部１１０は、メール受信を通知する（ステップＳ１００３）。動画再生中の場合には、情報閲覧所要時間推定部１０８は、受信したメールの発信者を調べ、情報閲覧履歴蓄積部１０７を参照することで、過去にその発信者からもメールを受信した履歴があるか否かを検索する（ステップＳ１００４）。過去のその発信者からのメールを受信していなかった場合（ステップＳ１００５）は、ステップＳ１００６へすすみ、情報閲覧所要時間推定部１０８は、受信したメールの文字数によりメールを処理するのに要する時間を推定する（ステップＳ１００６）。過去に受信した履歴があった場合には、過去の履歴から返信をしている履歴があるか否かを検索する（ステップＳ１００７）。過去に返信している履歴が５％以下の場合には、返信する可能性が少ないと判断し、ステップＳ１００９へすすむ。その以外の場合には、返信する可能性があると判断し、ステップＳ１０１０へすすむ。返信する可能性が低い場合には、情報閲覧所要時間推定部１０８は、過去の履歴からメールの閲覧に要する時間を推定する（ステップＳ１００９）。例えば、メールの閲覧履歴の所要時間の平均を推定時間とする。このとき、メールの文字数を考慮してもよい。メールに返信する可能性が高いと判断したときには、メールの返信作業も含めたメールの処理時間を推定する（ステップＳ１０１０）。情報通知タイミング判定部１０９は、ステップＳ１００６、Ｓ１００９、Ｓ１０１０でメール処理に要する時間を推定した結果を用いて、メールを通知するタイミングを決定する（ステップＳ１０１１）。
【００４２】
以上のように、本実施の形態によれば、過去のメールの処理履歴を用いて、動画再生中でも適切なタイミングでメール受信を通知することが可能になる。
【００４３】
なお、本実施の形態においては、動画の再生の区分でメール取得の通知を行った。しかしながら、メールの処理が、過去の履歴から返信する可能性が低く、メールの文字数も少ない場合には、図１１に示されるように、動画再生中にテロップとしてメール受信と、その内容をユーザに通知してもよい。メールに対して返信することも少なく、そのメールを少し見るだけであれば、動画再生中であっても、十分に確認することが可能である。
【００４４】
また、本実施の形態においては、メール受信の日時情報を利用していなかったが、メールを受信する時間帯に応じてメールを通知するタイミングを変更してもよい。例えば、深夜や休日に動画を再生中の場合には、プライベートな時間とみなし、動画の再生を優先し、メールは、動画再生終了後にするなどの処理にしてもよい。
【００４５】
また、本実施の形態においては、テキスト情報からなるメールを受信した場合に、受信したメールの処理時間を推定することで、動画再生中であっても適切なタイミングで受信の通知を行った。これに加えて、動画からなるビデオメールを受信したときには、そのビデオメールを通常再生した場合の、再生時間によって、動画再生中のどのタイミングでビデオメールの受信を通知してもよい。例えば、１０分からなるビデオメールの場合には、番組終了後にユーザに通知するが、１０秒からなるビデオメールの場合には、番組のコーナーの切れ目でユーザに通知する。これにより、ユーザの動画再生を大きく妨げることなく、ビデオメールの受信を知らせることが可能になる。
【００４６】
また、本実施の形態においては、蓄積されている動画コンテンツを再生中にメールを受信したときに、そのメールの受信を通知するタイミングを制御した。ところで、最近では、携帯電話等で目的地を設定することで、現在位置からのナビゲーションを行うことが可能になっている。例えば、図１２に示されるように、実際の道路の情報が携帯電話に表示され、現在地点から目的地までの経路のナビゲーションが行われる。ナビゲーションにおいては、交差点等にユーザがさしかかると、行き先に関して音声案内が行われる。経路のナビゲーションにおいては、図１３に示されるように、ユーザが普段の歩行を行うという前提においては、音声案内を行うタイミングを推定することが可能である。この音声案内を行うタイミングの情報を利用することで、メール受信を通知するタイミングを決定することができる。図１３の例では、現在地点において、メールを受信したとしても、ユーザが現在のスピードで歩行しているとすると、３分５秒後に、音声案内を行う。そこで、受信したメールを処理するのに３分５秒以上かかると推定される場合には、３分５秒後に音声案内を行った後に、メールの受信をユーザに通知する。携帯電話の画面の流れを図１４に示す。いま、図１４（ａ）に示されるように、メールを受信したとする。しかしながら、次の音声案内のタイミングが迫っているため、メールの受信をユーザに通知しない。次に、図１４（ｂ）に示されるように、交差点にさしかかったため、音声案内を行っている。音声案内終了後、図１４（ｃ）に示されるように、メールの受信を通知し、メールの内容を表示する。次に、「戻る」操作を携帯電話で行うことにより、図１４（ｄ）に示されるように、再び、経路ナビゲーションを再会する。以上の動作により、経路ナビゲーション中であっても、適切なタイミングで、メールの通知を行うことが可能になる。
【００４７】
（実施の形態２）
次に、本発明の実施の形態２について説明する。
【００４８】
実施の形態１では、過去に受信したメールの処理の履歴におけるメール処理時間を用いて、ユーザに対してメール受信を通知するタイミングを判定した。本実施の形態は、メールのテキスト情報を解析することで、メールの受信を通知するタイミングを決定することを特徴とする。
【００４９】
図１５は、本実施の形態における情報通知装置の構成を機能ブロック図である。この情報通知装置は、蓄積された動画を再生するとともに電子メール等の情報を受信したことをユーザに通知する携帯電話等であり、メールのテキスト情報を解析することでメールの受信を通知するタイミングを決定する点に特徴を有し、動画蓄積部１２０１、動画再生部１２０２、動画内容蓄積部１２０３、情報受信部１２０４、情報蓄積部１２０５、時刻情報辞書蓄積部１２０６、時刻情報抽出部１２０７、情報通知タイミング判定部１２０８、情報通知部１２０９から構成されている。なお、動画蓄積部１２０１、動画再生部１２０２、動画内容蓄積部１２０３、情報受信部１２０４、情報蓄積部１２０５については、実施の形態１における同一名称の構成要素と同様であるため説明を省略する。
【００５０】
時刻情報辞書蓄積部１２０６は、図１６に示されるように、時刻に関する表現の辞書を蓄積しているメモリ等である。また、時刻に関して、絶対的な日時を示す時刻情報と、メールが発信された日時を基に、「明日」や「来週」等の相対的な日時を示す時刻情報とを蓄積している。
【００５１】
時刻情報抽出部１２０７は、メール等を受信して蓄積している情報蓄積部１２０５に蓄積されているテキスト情報から、時刻情報辞書蓄積部１２０６に蓄積されている時刻に関する表現を抽出する処理部である。例えば、図１７（ａ）に示されるメールを受信した場合には、「本日」という単語が時刻情報として抽出される。図１７（ｂ）に示されるメールを受信した場合には、「１０月２１日」という単語が時刻情報として抽出される。
【００５２】
情報通知タイミング判定部１２０８は、時刻情報抽出部１２０７で抽出された時刻情報と動画内容蓄積部１２０３に蓄積されている動画の内容についての情報とから、メールの受信を通知するタイミングを決定する処理部である。例えば、図１７（ａ）に示される例では、「本日」の情報であるため、動画内容蓄積部１２０３で動画の次の切れ目が検出できた場合には、すぐにメール受信の通知を行う。一方、図１７（ｂ）に示される例では、時刻情報が「１０月２１日」で、本日が１０月２１日でなければ、動画再生が終了してから、メールの受信の通知を行う。
【００５３】
情報通知部１２０９では、情報通知タイミング判定部１２０８で判定されたタイミングで情報の受信を通知する処理部である。
【００５４】
図１８は、以上のように構成された本実施の形態における情報通知装置の動作を示すフローチャートである。まず、情報受信部１２０４は、メールを受信したか否かを判断する（ステップＳ１５０１）。メールを受信していない場合には、本ステップＳ１５０１を繰り返す。メールを受信した場合には、動画再生中か否かを判断する（ステップＳ１５０２）。動画再生中でない場合には、情報通知部１２０９は、すぐにメール受信をユーザに通知する（１５０７）。動画再生中の場合は、時刻情報抽出部１２０７は、時刻情報辞書蓄積部１２０６等を参照することで、受信したメールから時刻情報を抽出する（ステップＳ１５０３）。時刻情報がなかった場合には、情報通知タイミング判定部１２０８は、その旨を情報通知部１２０９に通知し、情報通知部１２０９は、動画再生終了後にメール受信をユーザに通知する（ステップＳ１５０６）。時刻情報があった場合には、情報通知タイミング判定部１２０８は、本日の情報が含まれているか否かを判断する（ステップＳ１５０５）。時刻情報があっても、本日の情報でないと判断した場合には、情報通知タイミング判定部１２０８はその旨を情報通知部１２０９に通知し、情報通知部１２０９は動画再生終了後にメール受信をユーザに通知する（ステップＳ１５０６）。本日の情報が含まれていた場合には、情報通知タイミング判定部１２０８はその旨を情報通知部１２０９に通知し、情報通知部１２０９は次の動画の切れ目でメールの受信を通知する（ステップＳ１５０８）。
【００５５】
以上のように、本実施の形態によれば、メールの内容、特に、時刻に関する情報をもとに、メールを受信したことを通知するタイミングを自動的に判定し、これにより、動画再生中であっても、時間的に近いイベントに関する情報は、ユーザに早く通知することができ、時間的な制約がない情報は、動画再生終了後に、ユーザは確認することが可能になる。
【００５６】
なお、本実施の形態においては、時刻情報が含まれるテキスト情報の場合に、次の動画の切れ目のタイミングでメールの受信の通知を行った。さらに、動画の次の切れ目の時刻を考慮して、その時刻に通知したときに、不都合が生じるような情報の場合には、動画再生中であっても情報取得を通知するようにしてもよい。例えば、映画等の切れ目のない動画を閲覧中に、１０時から特価販売のお知らせのメールを取得したとする。現在時刻が９時５５分で、映画の次の区切りが１０時をすぎる場合には、動画再生中であっても、メールの取得を通知してもよい。このように、次の動画の切れ目の時刻情報を利用して、メールの着信の通知を判断してもよい。
【００５７】
また、本実施の形態においては、受信したテキストの内容の時刻情報を解析することでメール受信の通知タイミングを判定した。これに加えて、メールに対して返信が必要か否かの情報を解析することにより、情報受信の通知タイミングを制御してもよい。例えば、図１９（ａ）に示されるメールの例では、返信の必要がないメールであるため、動画再生中にテロップ等でユーザに通知してもよい。一方、図１９（ｂ）に示されるメールの例では、はテキスト中に「返信を、お待ちしております」等の返信を要求する内容が含まれているため、動画再生終了後、または、動画の切れ目でメールの内容を通知してもよい。例えば、図１５のシステム構成において、返信の要求に関する用語を蓄積する返信要求辞書蓄積部と、情報蓄積部で蓄積されているテキスト情報から返信を要求する用語があるか否かを判定する返信要求情報抽出部を保有することにより、実現することが可能となる。
【００５８】
（変形例）
実施の形態２では、受信したメールのテキスト情報から時刻情報を抽出することで、動画再生中にメール受信の通知タイミングを自動的に判定した。しかし、このような判定方法だけでなく、受信したテキストの位置情報に関する記述を抽出することで、メール受信のタイミングを判定することも可能である。
【００５９】
図２０は、そのような判定手法を用いてメール受信のタイミングを判定する変形例に係る情報通知装置の構成を示す機能ブロック図である。この情報通知装置は、蓄積された動画を再生するとともに電子メール等の情報を受信したことをユーザに通知するＧＰＳ付き携帯電話等であり、受信したテキストの位置情報に関する記述を抽出することでメール受信のタイミングを判定する点に特徴を有し、動画蓄積部１７０１、動画再生部１７０２、動画内容蓄積部１７０３、情報受信部１７０４、情報蓄積部１７０５、位置情報辞書蓄積部１７０６、位置情報抽出部１７０７、現在位置情報取得部１７０８、情報通知タイミング判定部１７０９、情報通知部１７１０から構成されている。なお、動画蓄積部１７０１、動画再生部１７０２、動画内容蓄積部１７０３、情報受信部１７０４、情報蓄積部１７０５については、実施の形態１、２における同一名称の構成要素と同様であるため説明を省略する。
【００６０】
位置情報辞書蓄積部１７０６は、テキスト情報として利用される位置情報と、その位置情報が示す場所（緯度・経度）に関する情報を蓄積するメモリ等である。例えば、図２１に示されるように、「ＪＲ京都駅」等の名称に関するテキスト情報や、その緯度・経度に関する情報等が辞書としてテキストを解析するために蓄積されている。
【００６１】
位置情報抽出部１７０７は、メール等を受信して蓄積している情報蓄積部１７０５に蓄積されているテキスト情報から、位置情報辞書蓄積部１７０６に蓄積されている位置に関する表現を抽出する処理部である。例えば、図２２に示されるようなテキスト情報が蓄積されているとすると、このテキスト情報から「ＪＲ京都駅前」等の位置に関する情報を抽出する。
【００６２】
現在位置情報取得部１７０８は、携帯端末に付加されたＧＰＳ等のセンサを利用して現在位置を取得する処理部である。
【００６３】
情報通知タイミング判定部１７０９は、位置情報抽出部１７０７で抽出された位置情報と現在位置情報取得部１７０８で取得した現在位置とが所定の範囲に入っているときに、動画の切れ目において、メール受信をユーザに通知すると判定する処理部である。例えば、図２２の「ＪＲ京都駅」の単語が入ったメールを受信したときに、現在位置が「ＪＲ京都駅」付近であった場合には、次の動画の切れ目において、情報受信を通知すると判定する。
【００６４】
情報通知部１７１０は、情報通知タイミング判定部１７０９で判定されたタイミングで情報取得を通知する処理部である。
【００６５】
以上のような構成により、この変形例における情報通知装置は、メール等にて、場所に関する情報を取得した場合に、ユーザが動画閲覧中であった場合には、ユーザの現在位置に応じて、情報の通知のタイミングを決定することができる。
【００６６】
なお、本変形例においては、受信されたメール中の場所情報を利用したが、これに代えて、あるいは、これに加えて、図２３に示されるように、各店舗から配信される店舗情報を利用してもよい。特に、ユーザに対して携帯端末で経路案内等を行っている場合に、早急に、ユーザに知らせた方がいい情報と経路案内終了後に知らせた方がいい情報とをテキスト内容から判断することにより、適切なタイミングで情報の受信を通知することが可能になる。
【００６７】
（実施の形態３）
次に、本発明の実施の形態３について説明する。
【００６８】
実施の形態１、２では、ユーザが動画を再生中に、通信ネットワークを介して新たな情報を取得した場合に、受信した情報に応じて、適切なタイミングでユーザに情報の受信を通知した。本実施の形態は、新たに情報を受信するのではなく、情報端末においてすでに蓄積されている情報をユーザに通知する際に、動画再生中であっても適切なタイミングで情報の通知を行うことを特徴とする。
【００６９】
近年、ユーザが携帯電話を常時、持ち歩くようになったため、その携帯電話を利用してユーザの生活実態調査を行うようなアンケートが行われることがある。たとえば、携帯電話等にアプリケーションをインストールし、ユーザに対して定期的に（例えば１時間毎に）情報を入力させるようなアンケート調査がある。具体的には、図２４に示されるようなアンケート画面が１時間おきに提示され、ユーザがそれに対して入力を行う。これにより、一般ユーザの生活スタイルを調査することが可能になる。所定時間内に、過去（例えば、昨日の夜８時に）、何をしていたかを入力させるようなアンケート調査もあるが、一般に、ユーザは、過去のことについての記憶があいまいで、アンケートの精度が悪くなる。そこで、リアルタイムで、その時刻にアンケートの入力させることにより、精度の高いアンケートを実現しようとするものである。
【００７０】
図２５は、本実施の形態における情報通知装置の構成を機能ブロック図である。この情報通知装置は、蓄積された動画を再生するとともに既に蓄積された情報をユーザに通知する携帯電話等であり、動画再生中であっても適切なタイミングで情報の通知を行う点に特徴を有し、動画蓄積部２２０１、動画内容蓄積部２２０２、動画再生部２２０３、情報入力フォーマット蓄積部２２０４、情報入力部２２０５、情報入力履歴蓄積部２２０６、情報入力所要時間推定部２２０７、入力促進通知タイミング判定部２２０８、入力促進通知部２２０９から構成されている。なお、構成要素２２０１〜２２０３は、実施の形態１における同一名称の構成要素と同様であるため説明を省略する。
【００７１】
情報入力フォーマット蓄積部２２０４は、図２４に示したアンケートのフォーマットに関する情報を携帯端末のアプリケーション内に蓄積しているメモリ等である。
【００７２】
情報入力部２２０５は、情報入力フォーマット蓄積部２２０４に蓄積されているアンケートの入力フォーマットを図２４に示されるように、携帯端末の画面に表示し、テンキー等を利用してユーザから回答を取得する処理部である。アンケートについては、基本的に、プルダウンメニュー等、簡単に入力できるように構成されているが、メニューにない入力を行うためには、文字入力を必要とする。
【００７３】
情報入力履歴蓄積部２２０６は、情報入力部２２０５で入力された情報と、その情報を入力するのに要した時間情報を蓄積するメモリ等である。蓄積されているデータの例を図２６に示す。例えば、図２６の２行目に示されるように、１０：００にユーザのアンケート入力がはじまり、「どこにいますか」に対しては、通勤中であったため、「車内」と入力されている。この入力は、あらかじめ用意されたメニューには存在しなかったため、選択／文字においては、「文字」となっている。さらに、「何をしていますか」に対しては、「運転」であり、「だれといますか？」に対しては、「一人」がメニュー選択によって入力されたことを示している。また、入力完了までには、メニュー選択だけでなく、文字入力もあったため、１分１３秒かかっていることが蓄積されている。さらに、アンケート入力だけでなく、その状況の画像も携帯電話のカメラで撮影したＪＰＥＧデータが蓄積されている。
【００７４】
情報入力所要時間推定部２２０７は、情報入力履歴蓄積部２２０６に蓄積されている過去の入力完了にかかった時間情報をもとに、このユーザが、情報入力に必要な時間を推定する処理部である。例えば、情報入力履歴蓄積部２２０６に蓄積されている所要時間の平均値を推定時間とする。なお、１０時の入力に対しては、昨日の１０時の入力にかかった時間を推定時間としてもよい。なお、情報入力履歴において、情報入力に要した時間の履歴が蓄積されていない場合には、アンケートの質問数や選択肢の数、入力文字の数等からアンケートに対して情報を入力する時間を推定してもよい。
【００７５】
入力促進通知タイミング判定部２２０８は、情報入力所要時間推定部２２０７で推定された時間情報と動画内容蓄積部２２０２に蓄積されている動画内容とから、ユーザに対して情報入力を促進するタイミングを決定する処理部である。例えば、アンケートの情報入力が１分以内で終了すると推定された場合には、動画の次の区切りでアンケート情報の入力を促す。また、１分以上かかっている場合には、番組が終了してから、情報の入力を促進する。
【００７６】
入力促進通知部２２０９は、入力促進通知タイミング判定部２２０８で決定されたタイミングでユーザに対して情報入力を促す処理部である。例えば、図２４に示されるような情報入力画面を表示する。
【００７７】
図２７は、以上のように構成された本実施の形態における情報通知装置の動作を示すフローチャートである。まず、入力促進通知タイミング判定部２２０８は、携帯電話にインストールされているアンケート等の定期的に情報入力を促すアプリケーションにおいて、情報入力を促す時間であるか否かを判断する（ステップＳ２４０１）。情報入力の時間でないときには、本ステップＳ２４０１を繰り返す。情報入力の時間のときは、ステップＳ２４０２へすすむ。動画再生中か否かを判断する（ステップＳ２４０２）。動画が再生されていない場合には、ステップＳ２４０３へすすみ、入力促進通知タイミング判定部２２０８はその旨を入力促進通知部２２０９に通知し、入力促進通知部２２０９は情報入力を促す。動画が再生されていた場合には、情報入力所要時間推定部２２０７は、アンケートの情報入力に必要な時間を、過去の情報入力履歴から判断する（ステップＳ２４０４）。入力処理の推定時間が１分以上かかるか否かを判断する（ステップＳ２４０５）。１分以内で終了すると判断された場合には、ステップＳ２４０６へすすみ、その判断結果が情報入力所要時間推定部２２０７から入力促進通知タイミング判定部２２０８を経て入力促進通知部２２０９に通知され、入力促進通知部２２０９は、次の動画の切れ目において、情報入力をユーザに促す。１分以内の少ない時間で、アンケート情報の入力が終了するのであれば、動画再生の途中で、アンケート入力を行ったとしても、動画の以前の内容を忘れることなく、連続して動画を閲覧していたのと同様に、動画コンテンツのストーリーを理解することが可能になる。逆に、１分以上かかると推定された場合には、その判断結果が情報入力所要時間推定部２２０７から入力促進通知タイミング判定部２２０８を経て入力促進通知部２２０９に通知され、入力促進通知部２２０９は、動画閲覧終了後に、アンケートの情報入力を促す（ステップＳ２４０６）。情報入力部２２０５は、アンケート情報として入力された結果と、それに要した時間情報を情報入力履歴蓄積部２２０６に蓄積する（ステップＳ２４０７）。
【００７８】
以上ように、本実施の形態によれば、アンケート入力等の携帯端末から、定期的にユーザに情報入力を通知するアプリケーションにおいても、適切なタイミングで情報入力を通知することが可能になる。
【００７９】
なお、本実施の形態においては、アンケート等の情報入力であったが、閲覧するだけの情報でも同様の処理が可能である。例えば、定期的または、食後等に薬を飲まなければならないときに、ユーザに薬を飲むタイミングを知らせるように、携帯端末によって知らせるように設定することがある。このとき、ユーザに知らせるタイミングが、たまたま、動画を閲覧していた場合には、適当な映像の切れ目において知らせることが可能になる。
【００８０】
（実施の形態４）
次に、本発明の実施の形態４について説明する。
【００８１】
実施の形態１では、蓄積されている動画コンテンツを閲覧していたときに、電子メールやアンケート等の情報閲覧を、ユーザに通知する場合のタイミングについての例について説明した。本実施の形態では、放送されている動画コンテンツを携帯電話で受信し、その動画コンテンツを再生中に、電子メール等を受信した場合の処理の例について説明する。
【００８２】
図２８は、本実施の形態における情報通知装置の構成を機能ブロック図である。この情報通知装置は、配信されてきた動画をリアルタイムに再生するとともに電子メール等の情報を受信したことをユーザに通知する携帯電話等であり、放送受信部２５０１、動画内容蓄積部２５０２、動画再生部２５０３、情報受信部２５０４、情報蓄積部２５０５、情報閲覧部２５０６、情報閲覧履歴蓄積部２５０７、情報閲覧所要時間推定部２５０８、放送蓄積部２５０９、蓄積時間検出部２５１０、情報通知タイミング判定部２５１１、情報通知部２５１２から構成されている。なお、構成要素２５０２〜２５０８は、実施の形態１における同一名称の構成要素と同様の処理を行うため説明を省略する。
【００８３】
放送受信部２５０１は、放送用アンテナ等を介して放送コンテンツを受信する受信回路等である。
【００８４】
放送蓄積部２５０９は、放送受信部２５０１で受信した放送を蓄積する携帯端末の半導体メモリまたはハードディスク等である。
【００８５】
蓄積時間検出部２５１０は、携帯端末内の放送蓄積部２５０９で蓄積可能な時間を検出する処理部である。例えば、１Ｍバイトの容量が携帯端末内で利用可能な場合、１０Ｋバイト／秒のビットレートで蓄積するならば、１００秒の放送コンテンツを蓄積することが可能と検出する。
【００８６】
情報通知タイミング判定部２５１１は、情報閲覧所要時間推定部２５０８で推定された、電子メール等の受信した情報を閲覧・処理するのに必要な推定時間と、蓄積時間検出部２５１０で検出された蓄積可能な時間とを比較し、メールを閲覧している間の放送コンテンツを蓄積可能か否かを判断する処理部である。例えば、メール処理に６０秒の所要時間が必要と推定された場合に、蓄積可能な時間が１００秒であった場合には、メールを閲覧している時間の放送コンテンツを携帯端末内で蓄積可能であると判断し、動画再生中であっても、途中でメール受信を通知させる。一方、メール閲覧処理にかかる時間が、蓄積可能な時間より長い場合には、メールを処理している時間の放送コンテンツを、すべて蓄積することができないと判断し、放送コンテンツの閲覧終了後に、メールの受信をユーザに通知させる。
【００８７】
情報通知部２５１２は、情報通知タイミング判定部２５１１で判定された結果を用いて、情報の受信を通知する処理部である。また、必要に応じて、放送蓄積部２５０９に対して、放送受信部２５０１で受信した動画の蓄積の開始を指示する。
【００８８】
図２９は、以上のように構成された本実施の形態における情報通知装置の動作を示すフローチャートである。ステップＳ２６０１からステップＳ２６０４までの処理は実施の形態１と同様であるため、説明を省略する。
【００８９】
蓄積時間検出部２５１０は、携帯端末で蓄積できる時間を算出する（ステップＳ２６０５）。情報通知タイミング判定部２５１１は、蓄積時間検出部２５１０及び情報閲覧所要時間推定部２５０８を参照することで、番組を蓄積できる時間とメール処理に必要となりそうな時間とを比較する（ステップＳ２６０６）。メール処理に必要な時間の方が長かった場合には、情報通知タイミング判定部２５１１はその旨を情報通知部２５１２に通知し、情報通知部２５１２は、番組終了後に、メール通知をユーザに知らせる（ステップＳ２６０７）。メール処理に必要な時間よりも、番組を蓄積できる時間の方が長かった場合には、情報通知タイミング判定部２５１１はその旨を情報通知部２５１２に通知し、情報通知部２５１２は、次の番組の切れ目において、メール受信をユーザに知らせる（ステップＳ２６０８）。なお、放送受信部２５０１は、メール閲覧・処理中の放送コンテンツを放送蓄積部２５０９に蓄積する。
【００９０】
以上のように、本実施の形態によれば、メール処理を行っている時間に、放送されたコンテンツを携帯端末に自動的に蓄積することができ、ユーザは、放送閲覧中であっても、メールの処理を実行することが可能になる。
【００９１】
本実施の形態における図２８において、放送受信部２５０１と動画再生部２５０３の間に実施の形態１と同様に、動画情報蓄積部を設けることが可能である。これにより、放送受信部で受信した放送コンテンツを受信と同時に閲覧する場合において、受信した放送コンテンツを動画再生可能なフォーマットに変換し、ＣＰＵの一部分のメモリ領域またはキャッシュメモリ等により構成される動画情報蓄積部に一時的に蓄積させ、蓄積が完了すると同時に、動画再生を開始させる。さらに、動画情報蓄積部において再生された動画は、再生されると同時に消去され、さらに受信した放送コンテンツを蓄積させる。すなわち、動画蓄積部は、実施の形態１で想定したハードディスクや半導体メモリ等の２次記憶媒体に限らず、高速な書き込み・読み込み・消去が可能なキャッシュメモリまたは、ＣＰＵに付属するメモリ領域の場合もありえる。動画蓄積部がキャッシュメモリ等で構成され、さらに、受信した放送コンテンツの書き込み・再生・消去の繰り返しを行うことにより、リアルタイムで放送されているコンテンツをユーザが閲覧しているときにも、メール等の情報の受信があった際には、適切なタイミングでメールの受信を通知することが可能になる。
【００９２】
なお、本実施の形態においては、番組の区切りで、メールの受信をユーザに通知したが、動画の閲覧履歴を蓄積しておくことにより、ユーザの動画コンテンツに対する興味の度合いを算出することが可能である。例えば、いつも経済ニュースを閲覧しているが、スポーツニュースを閲覧していないユーザに対しては、メールの受信の通知をスポーツニュースが放送されているときに行ってもよい。これにより、興味のあるニュースの閲覧を妨げることなく、番組閲覧と、メールの確認を行うことができるようになる。
【００９３】
また、本実施の形態においては、放送等の動画コンテンツを再生中に、メールを受信したときの処理について説明した。ところで、携帯電話等の携帯端末は、一般に、デジタルカメラの機能として、風景を撮像する機能をもっている。そのため、風景を撮像しようと、ズーム、パーンを行いながら画像のレイアウトを決めようとしているときに、メールの受信が通知されると、集中して撮像を行うことができない（図３０参照）。そこで、本実施の形態における情報通知装置についても、画像に対して、操作を行っているときには、メールを受信しても、ユーザに通知しないようにしてもよい。動画コンテンツを撮像する際において、ＣＣＤカメラ等により入力された画像信号は、一旦、キャッシュメモリまたはビデオメモリ等により構成される動画蓄積部に蓄積され、ユーザが撮像内容を確認するための小型ディスプレイ等に表示を行う。よって、本実施の形態で記載した、放送コンテンツを閲覧しているときに、メール等の受信があった場合に、適切なタイミングで通知するのと同様の構成で、動画コンテンツを撮像中に、適切なタイミングでの通知が可能になる。
【００９４】
（実施の形態５）
実施の形態１から４においては、電子メールやアンケートの情報をユーザに通知する際に、その処理時間を考慮して、表示されている動画に対する通知のタイミングを制御する方法について述べた。しかしながら、動画が区切りが比較的に少なく（３０分間区切りのない動画等）、情報の受信の通知を早くしなければならない場合には、テロップやアイコン等により、動画再生中であっても情報の通知を行う必要がある。その場合には、ユーザが動画を閲覧することを妨げない表示位置において情報通知を行う必要がある。例えば、野球等の動画を再生するときに、スコアや選手の紹介を表示する場所が決められていることが多い。そこで、メール等の着信をユーザに通知する場合には、その表示場所を避けて表示することで、動画の閲覧を妨げることなく、メールの受信を通知することが可能になる。動画情報の表示のレイアウトに関する情報が動画の内容として取得された際の、メールの動画像上の通知場所の決定する情報通知装置のシステム構成を図３２に示す。図３２の情報通知装置は、動画蓄積部３２０１、動画レイアウト蓄積部３２０２、動画再生部３２０３、情報受信部３２０４、情報蓄積部３２０５、テキスト量計算部３２０６、情報通知場所決定部３２０７、情報通知部３２０８から構成されている。
【００９５】
動画蓄積部３２０１は、前記実施の形態と同様に、半導体メモリやハードディスク等の蓄積媒体であり、ＭＰＥＧ等の形式で動画を蓄積している。
【００９６】
動画レイアウト蓄積部３２０２は、動画蓄積部３２０１で蓄積されている動画内容の画面レイアウトに関する情報をＸＭＬ等の形式により蓄積しているものである。なお、動画は時間とともに表示するコンテンツが異なるため、各表示画像に関してコンテンツのレイアウトを蓄積しているものである。例えば、野球のコンテンツの場合、図３３の（ａ）に示すような表示のレイアウトに関する情報が蓄積されている。図３３（ａ）の例は、野球のコンテンツのチームのスコアに関する情報と、打者に関する情報が表示される場所に関する情報が蓄積されている。これにより、図３３（ｂ）に示すように、スコアと打者に関する情報がテキストの情報で表示されている。このレイアウトに関する情報は、放送コンテンツに多重化されて配信される場合もあるが、野球コンテンツが放送で配信され、画面のレイアウトに関する情報はインターネット等のネットワークを用いて配信されてもよい。
【００９７】
動画再生部３２０３は、前記実施の形態と同様に、動画蓄積部３２０１で蓄積されている動画コンテンツを再生する。
【００９８】
情報受信部３２０４は、前記実施の形態と同様に、電子メール等によりネットワークを介して情報を受信する。
【００９９】
情報蓄積部３２０５は、前記実施の形態と同様に、情報受信部３２０４で受信した情報を蓄積する。
【０１００】
テキスト量計算部３２０６は、情報受信部３２０５で蓄積している電子メール等のテキスト情報の量を計算する。例えば、受信したコンテンツを画面で表示する際に、どれだけの表示領域を必要とするかを計算する。
【０１０１】
情報通知場所決定部３２０７は、動画レイアウト蓄積部３２０２で蓄積されている動画のレイアウトに関する情報とテキスト量計算部３２０５で計算されたテキストの表示量から、表示画面上において文字が重ならないように情報を受信したことを通知する場所を決定する。具体的には、図３４（ａ）に示すように表示されている動画に対してオーバーレイ機能や動画情報に対する説明情報がない場合、または、動画情報に対するレイアウト情報がない場合には、受信したメールの内容を画面の左下よりテキストを用いて表示し、ユーザに対してメールを受信したことを通知する。
【０１０２】
しかしながら、図３３に示すように、動画に対して野球に関する動画の場合に、スコアや打者に関する情報を説明情報として動画とは別に説明情報として表示する場合には、その領域に重ならないように、情報の受信を通知する必要がある。さらには、テロップのように文字を動かすことでユーザに受信した情報の内容を通知する場合には、動画に関する説明情報の表示場所に重ならないようにする必要がある。そこで、受信したメールの内容を画面の左下より表示した場合に、動画コンテンツの内容の説明情報（スコアや打者の情報）と重なるときは、その領域を避けて、例えば、打者の情報が表示される右から受信した情報を表示する場所とする（図３４（ｂ）参照）。
【０１０３】
情報通知部３２０８は、動画再生部３２０３で再生された動画のコンテンツを表示しながら、情報通知場所決定部３２０７で決定された通知場所の情報を利用してユーザに対して情報の通知を行う。
【０１０４】
図３５は、以上のように構成された本実施の形態における情報通知装置の動作を示すフローチャートである。まず、情報受信部３２０４は、メールを受信したか否かを判断する（ステップＳ３５０１）。受信した場合には、次のステップへすすむが、受信していない場合には、ステップＳ３５０１を繰り返す。次に、動画再生中か否か否かを判断する（ステップ３５０２）。動画再生中でない場合には、ステップＳ３５０８へすすみ、情報通知部３２０８はメールの受信をあらかじめ決められた左下の場所にメールのテキストを表示し、ユーザに通知を行う（図３４（ａ）参照）。動画再生中の場合には、表示されている動画のレイアウトに関する情報がないかを判断する（ステップＳ３５０３）。動画レイアウト蓄積部３２０２において、レイアウトに関する情報がない場合には、ステップ３５０８へすすみ、メールの取得を通知する。動画レイアウト蓄積部３２０２においてレイアウト情報がある場合には、次のステップへすすむ。情報受信部３２０４で受信したメールを情報蓄積部３２０５で蓄積し、テキスト量計算部３２０５にて、受信したメールのテキストの表示量を計算し、動画レイアウト蓄積部３２０４で蓄積されている動画の説明情報との重なりがないかを判断する（ステップＳ３５０４）。重なりがない場合には、ステップＳ３５０８へすすみ、メールの表示場所でユーザに通知を行う。本実施例の場合、メールのテキストの表示位置が左下であるの対して、動画レイアウト蓄積部３２０２で蓄積されている動画コンテンツの説明情報の打者に関する情報が左下にあり、重なると判断される。そこで、次のステップへすすみ、動画の説明情報の右側に空き領域があるか否かを判断する（ステップＳ３５０５）。本実施例の場合には、図３４（ｂ）に示すように打者情報の右側に空き領域がある。そこで、ステップＳ３５０６へすすむ。情報通知場所決定部３２０７において、動画の説明情報の右側を受信したメールの通知表示場所として決定する（ステップＳ３５０７）。メール取得の通知場所の決定がなされると、情報通知部３２０８において、その場所に対してメール受信の通知が行われる（ステップＳ３５０８）。なお、ステップＳ３５０５において、動画の説明情報の右側において情報の通知を行う場所がなかった場合には、次の動画の切れ目にて、動画の説明情報が表示されなくなったタイミングでメール受信の通知を行う（ステップＳ３５０７）。
【０１０５】
以上のように、本実施の形態によれば、再生されている動画コンテンツの動画の説明情報のレイアウト情報を用いて、メール受信の通知場所を動的に決定することができるようになる。これにより、メールのテキスト情報と、動画コンテンツの説明情報が重なることなく、ユーザはメールのテキストを容易に確認することができるようになる。
【０１０６】
なお、本実施の形態においては、レイアウト情報が配信またはネットワークを介して取得することにより、動画コンテンツに対して説明情報が表示されている場所を検出し、説明情報が表示されていない場所に対して、情報の受信を通知する場所を決定した。しかしながら、動画コンテンツに対して常に説明のレイアウトに関する情報が付与されているとは限らない。そこで、画面の四隅の所定の領域に表示されている動画コンテンツに対して動きベクトルを算出し、動きベクトルの量に応じてメールの受信を通知する場所を決定してもよい。これは、説明情報等が表示されている場合には、背景の動画コンテンツの変化に対して、文字の表示画像が存在するために、動きベクトルが小さくなる傾向にある。そこで、文字等による説明情報が表示されている場所を、画像のフレーム間での動きベクトルで算出することが可能である。画面の四隅に対して、動きベクトルを算出し、説明情報が表示されているか否かを検出することで、動画コンテンツのレイアウト情報がない場合でも、説明情報と重なることなく情報の受信をユーザに通知することが可能になる。
【産業上の利用可能性】
【０１０７】
本発明は、動画を再生する機能と通信ネットワーク等を介して情報を受信する機能の両方をもつ情報通知装置として、例えば、動画が放送の再生機能をもつ携帯電話、テレビ、携帯情報端末、携帯型コンピュータ等の端末装置として利用することができる。
【符号の説明】
【０１０８】
１０１、１２０１、１７０１、２２０１、３２０１    動画蓄積部
１０２、１２０３、１７０３、２２０２、２５０２    動画内容蓄積部
１０３、１２０２、１７０２、２２０３、２５０３、３２０３    動画再生部
１０４、１２０４、１７０４、２５０４、３２０４    情報受信部
１０５、１２０５、１７０５、２５０５、３２０５    情報蓄積部
１０６、２５０６    情報閲覧部
１０７、２５０７    情報閲覧履歴蓄積部
１０８、２５０８    情報閲覧所要時間推定部
１０９、１２０８、１７０９、２５１１    情報通知タイミング判定部
１１０、１２０９、１７１０、２５１２、３２０８    情報通知部
１２０６    時刻情報辞書蓄積部
１２０７    時刻情報抽出部
１７０６    位置情報辞書蓄積部
１７０７    位置情報抽出部
１７０８    現在位置情報取得部
２２０４    情報入力フォーマット蓄積部
２２０５    情報入力部
２２０６    情報入力履歴蓄積部
２２０７    情報入力所要時間推定部
２２０８    入力促進通知タイミング判定部
２２０９    入力促進通知部
２５０１    放送受信部
２５０９    放送蓄積部
２５１０    蓄積時間検出部
３２０２    動画レイアウト蓄積部
３２０６    テキスト量計算部
３２０７    情報通知場所決定部
【図１】
2010205279.tif 000003
【図２】
2010205279.tif 000004
【図３】
2010205279.tif 000005
【図４】
2010205279.tif 000006
【図５】
2010205279.tif 000007
【図６】
2010205279.tif 000008
【図７】
2010205279.tif 000009
【図８】
2010205279.tif 000010
【図９】
2010205279.tif 000011
【図１０】
2010205279.tif 000012
【図１１】
2010205279.tif 000013
【図１２】
2010205279.tif 000014
【図１３】
2010205279.tif 000015
【図１４】
2010205279.tif 000016
【図１５】
2010205279.tif 000017
【図１６】
2010205279.tif 000018
【図１７】
2010205279.tif 000019
【図１８】
2010205279.tif 000020
【図１９】
2010205279.tif 000021
【図２０】
2010205279.tif 000022
【図２１】
2010205279.tif 000023
【図２２】
2010205279.tif 000024
【図２３】
2010205279.tif 000025
【図２４】
2010205279.tif 000026
【図２５】
2010205279.tif 000027
【図２６】
2010205279.tif 000028
【図２７】
2010205279.tif 000029
【図２８】
2010205279.tif 000030
【図２９】
2010205279.tif 000031
【図３０】
2010205279.tif 000032
【図３１】
2010205279.tif 000033
【図３２】
2010205279.tif 000034
【図３３】
2010205279.tif 000035
【図３４】
2010205279.tif 000036
【図３５】
2010205279.tif 000037